【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ネットワークを介して会議に参加可能な端末であって、
カメラにより撮影される第１の画像のデータを取得する取得手段と、
前記会議に参加している拠点からネットワークを介して第２の画像のデータを受信する受信手段と、
前記会議に参加している拠点数に基づき、前記第１の画像と前記第２の画像とを表示するレイアウトが決定され、決定された該レイアウトに応じて、前記第１の画像と前記第２の画像とを表示する表示制御手段と、
を備える端末。
【請求項２】
テレビ会議に参加している拠点とネットワークを介して通信可能であり、ディスプレイを有する端末であって、
前記テレビ会議に参加している自拠点を含む参加数を前記ディスプレイに表示する表示制御手段と、
を備える端末。
【請求項３】
テレビ会議に参加している拠点を管理するサーバと通信可能であり
、テレビ会議に参加している拠点とネットワークを介して通信可能であり、更に、ディスプレイを有する端末であって、
前記テレビ会議に参加している自拠点を含む参加数を前記ディスプレイに表示する表示制御手段と、
を備える端末。
【請求項４】
テレビ会議に参加している拠点とネットワークを介して通信可能であり、ディスプレイを有する端末であって、
前記ディスプレイの画面の特定の領域内に、前記テレビ会議に参加している自拠点を含む参加数と共に前記参加数を示すアイコンを前記ディスプレイに表示する表示制御手段と、
を備える端末。
【請求項５】
テレビ会議に参加している拠点を管理するサーバと通信可能であり、更に、前記拠点とネットワークを介して通信可能であり、ディスプレイを有する端末であって、
前記テレビ会議に参加している自拠点を含む参加数を前記ディスプレイに表示する表示制御手段と、
を備える端末。
【請求項６】
テレビ会議に参加している拠点とネットワークを介して通信可能であり、ディスプレイを有する端末であって、
前記端末に接続されているカメラにより撮影される第１の画像のデータを送信する送信手段と、
前記テレビ会議に参加している拠点それぞれから送信される第２の画像のデータを受信する受信手段と、
前記第１の画像と前記第２の画像とをそれぞれ表示する前記ディスプレイの画面と同じ画面内に、前記テレビ会議に参加している自拠点を含む参加数に表示する表示制御手段と、
を備える端末。
【請求項７】
テレビ会議に参加している拠点とネットワークを介して通信可能であり、ディスプレイを有する端末であって、
前記テレビ会議に参加している拠点それぞれから送信される第２の画像のデータを受信する受信手段と、
前記第２の画像を表示する前記ディスプレイの画面と同じ画面内に、前記テレビ会議に参加している自拠点を含む参加数を表示する表示制御手段と、
を備える端末。
【請求項８】
テレビ会議に参加している拠点の数を管理するサーバから前記テレビ会議に参加している自拠点を含む参加数を受信することを特徴とする請求項１〜７のいずれか１項に記載の端末。
【請求項９】
前記端末が有するディスプレイに表示可能な拠点数の最大値よりもテレビ会議に参加している参加数の方が多い場合、
前記表示制御手段は、前記第１の画像のデータと前記第２の画像のデータとの中から前記ディスプレイに表示可能な参加数の最大値の数だけ前記ディスプレイに表示することを特徴とする請求項１又は６に記載の端末。
【請求項１０】
ユーザによる操作によって、テレビ会議に参加している拠点の一覧を含む一覧画面を前記端末が有するディスプレイに表示することを特徴とする請求項１〜９のいずれか１項に記載の端末。
【請求項１１】
ネットワークを介して会議に参加可能な端末が行う表示方法であって、
取得手段が、カメラにより撮影される第１の画像のデータを取得するステップと、
受信手段が、前記会議に参加している拠点からネットワークを介して第２の画像のデータを受信するステップと、
前記会議に参加している拠点数に基づき、前記第１の画像と前記第２の画像とを表示するレイアウトが決定され、決定された該レイアウトに応じて、表示制御手段が、前記第１の画像と前記第２の画像とを表示するステップと、
を備える表示方法。
【請求項１２】
テレビ会議に参加している拠点とネットワークを介して通信可能であり、ディスプレイを有する端末が行う表示方法であって、
表示制御手段が、前記テレビ会議に参加している自拠点を含む参加数を前記ディスプレイに表示するステップ、を備える表示方法。
【請求項１３】
テレビ会議に参加している拠点を管理するサーバと通信可能であり
、テレビ会議に参加している拠点とネットワークを介して通信可能であり、更に、ディスプレイを有する端末が行う表示方法であって、
表示制御手段が、前記テレビ会議に参加している自拠点を含む参加数を前記ディスプレイに表示するステップ、を備える表示方法。
【請求項１４】
テレビ会議に参加している拠点とネットワークを介して通信可能であり、ディスプレイを有する端末が行う表示方法であって、
表示制御手段が、前記ディスプレイの画面の特定の領域内に、前記テレビ会議に参加している自拠点を含む参加数と共に前記参加数を示すアイコンを前記ディスプレイに表示するステップ、を備える表示方法。
【請求項１５】
テレビ会議に参加している拠点を管理するサーバと通信可能であり、更に、前記拠点とネットワークを介して通信可能であり、ディスプレイを有する端末が行う表示方法であって、
前記テレビ会議に参加している自拠点を含む参加数を前記ディスプレイに表示するステップ、を備える表示方法。
【請求項１６】
テレビ会議に参加している拠点とネットワークを介して通信可能であり、ディスプレイを有する端末が行う表示方法であって、
送信手段が、前記端末に接続されているカメラにより撮影される第１の画像のデータを送信するステップと、
受信手段が、前記テレビ会議に参加している拠点それぞれから送信される第２の画像のデータを受信するステップと、
表示制御手段が、前記第１の画像と前記第２の画像とをそれぞれ表示する前記ディスプレイの画面と同じ画面内に、前記テレビ会議に参加している自拠点を含む参加数に表示するステップと、
を備える表示方法。
【請求項１７】
テレビ会議に参加している拠点とネットワークを介して通信可能であり、ディスプレイを有する端末が行う表示方法であって、
前記テレビ会議に参加している拠点それぞれから送信される第２の画像のデータを受信する受信手段と、
前記第２の画像を表示する前記ディスプレイの画面と同じ画面内に、前記テレビ会議に参加している自拠点を含む参加数を表示する表示制御手段と、
を備える表示方法。
【請求項１８】
テレビ会議に参加している拠点の数を管理するサーバから前記テレビ会議に参加している自拠点を含む参加数を受信することを特徴とする請求項１１〜１７のいずれか１項に記載の表示方法。
【請求項１９】
前記端末が有するディスプレイに表示可能な拠点数の最大値よりもテレビ会議に参加している参加数の方が多い場合、
前記表示制御手段は、前記第１の画像のデータと前記第２の画像のデータとの中から前記ディスプレイに表示可能な参加数の最大値の数だけ前記ディスプレイに表示することを特徴とする請求項１１又は１６に記載の表示方法。
【請求項２０】
ユーザによる操作によって、テレビ会議に参加している拠点の一覧を含む一覧画面を前記端末が有するディスプレイに表示することを特徴とする請求項１１〜１９のいずれか１項に記載の表示方法。
【請求項２１】
ネットワークを介して会議に参加可能な端末を、
カメラにより撮影される第１の画像のデータを取得する取得手段と、
前記会議に参加している拠点からネットワークを介して第２の画像のデータを受信する受信手段と、
前記会議に参加している拠点数に基づき、前記第１の画像と前記第２の画像とを表示するレイアウトが決定され、決定された該レイアウトに応じて、前記第１の画像と前記第２の画像とを表示する表示制御手段、
として機能させるためのプログラム。
【請求項２２】
テレビ会議に参加している拠点とネットワークを介して通信可能であり、ディスプレイを有する端末を、
前記テレビ会議に参加している自拠点を含む参加数を前記ディスプレイに表示する表示制御手段、として機能させるためのプログラム。
【請求項２３】
テレビ会議に参加している拠点を管理するサーバと通信可能であり
、テレビ会議に参加している拠点とネットワークを介して通信可能であり、更に、ディスプレイを有する端末を、
前記テレビ会議に参加している自拠点を含む参加数を前記ディスプレイに表示する表示制御手段、として機能させるためのプログラム。
【請求項２４】
テレビ会議に参加している拠点とネットワークを介して通信可能であり、ディスプレイを有する端末を、
前記ディスプレイの画面の特定の領域内に、前記テレビ会議に参加している自拠点を含む参加数と共に前記参加数を示すアイコンを前記ディスプレイに表示する表示制御手段、として機能させるためのプログラム。
【請求項２５】
テレビ会議に参加している拠点を管理するサーバと通信可能であり、更に、前記拠点とネットワークを介して通信可能であり、ディスプレイを有する端末を、
前記テレビ会議に参加している自拠点を含む参加数を前記ディスプレイに表示する表示制御手段、として機能させるためのプログラム。
【請求項２６】
テレビ会議に参加している拠点とネットワークを介して通信可能であり、ディスプレイを有する端末を、
前記端末に接続されているカメラにより撮影される第１の画像のデータを送信する送信手段と、
前記テレビ会議に参加している拠点それぞれから送信される第２の画像のデータを受信する受信手段と、
前記第１の画像と前記第２の画像とをそれぞれ表示する前記ディスプレイの画面と同じ画面内に、前記テレビ会議に参加している自拠点を含む参加数に表示する表示制御手段、  として機能させるためのプログラム。
【請求項２７】
テレビ会議に参加している拠点とネットワークを介して通信可能であり、ディスプレイを有する端末を、
前記テレビ会議に参加している拠点それぞれから送信される第２の画像のデータを受信する受信手段と、
前記第２の画像を表示する前記ディスプレイの画面と同じ画面内に、前記テレビ会議に参加している自拠点を含む参加数を表示する表示制御手段、
として機能させるためのプログラム。
【請求項２８】
テレビ会議に参加している拠点の数を管理するサーバから前記テレビ会議に参加している自拠点を含む参加数を受信することを特徴とする請求項２１〜２７のいずれか１項に記載のプログラム。
【請求項２９】
前記端末が有するディスプレイに表示可能な拠点数の最大値よりもテレビ会議に参加している参加数の方が多い場合、
前記表示制御手段は、前記第１の画像のデータと前記第２の画像のデータとの中から前記ディスプレイに表示可能な参加数の最大値の数だけ前記ディスプレイに表示することを特徴とする請求項２１又は２６に記載のプログラム。
【請求項３０】
ユーザによる操作によって、テレビ会議に参加している拠点の一覧を含む一覧画面を前記端末が有するディスプレイに表示することを特徴とする請求項２１〜２９のいずれか１項に記載のプログラム。
【手続補正２】
【補正対象書類名】明細書
【補正対象項目名】発明の名称
【補正方法】変更
【補正の内容】
【発明の名称】端末、表示方法、プログラム
【手続補正３】
【補正対象書類名】明細書
【補正対象項目名】０００１
【補正方法】変更
【補正の内容】
【０００１】
本発明は、複数の伝送端末を管理する伝送管理装置とネットワークを介して接続し、少なくとも１つの伝送端末と伝送を行う端末等に関する。
【手続補正４】
【補正対象書類名】明細書
【補正対象項目名】０００８
【補正方法】変更
【補正の内容】
【０００８】
本発明は、上記課題に鑑み、画像を表示する画面モードでも、他の拠点の情報を確認できる端末等を提供することを目的とする。
【手続補正５】
【補正対象書類名】明細書
【補正対象項目名】０００９
【補正方法】変更
【補正の内容】
【０００９】
上記課題に鑑み、本発明は、テレビ会議に参加している拠点とネットワークを介して通信可能な端末に、前記テレビ会議に参加している参加数（参加者の数）を表示する、端末等を提供する。